(57)【要約】【課題】ユニークでかつ多様性のあるデザインのマフラーやセーターなどのニットウェア、あるいはバッグ、ランプシェードなどの各種ニット製品用のモチーフピースを構成することができるニットピースを提供する。【解決手段】ニットピース１０は、長手方向の中央部で６０度の山形に鋭角に屈曲した帯状に編成されているため、ユニークなデザインの各種ニットウェア、あるいはバッグやランプシェードなどの各種ニット製品として構成することができる。【選択図】図１
2014080701.tif 000002
【特許請求の範囲】
【請求項１】
長手方向に沿って幅方向に複数段に編成される帯状のニットピースであって、
前記複数段の各段の目数が長手方向の中間部にて漸次減少されることにより、長手方向の中間部で屈曲していることを特徴とするニットピース。
【請求項２】
長手方向の中間部で屈曲する部分の内側の挟角が５〜１７５度であって、ニット製品用のモチーフピースとして編成されていることを特徴とする請求項１に記載のニットピース。
【発明の詳細な説明】
【技術分野】
【０００１】
本発明は、ニット糸を所定のパターンに編成したニットピースに関し、詳しくは、セーター、マフラー、帽子などのニットウェア、あるいはバッグ、スリッパ、ランプシェードなどの各種ニット製品用のモチーフピースとして好適なニットピースに関するものである。
【背景技術】
【０００２】
ニット糸を編成したニットピースとして、例えば特許文献１には、マフラー、ショール、スカーフ用として帯状に編成されたものが記載されている。また、特許文献２には、ニットウェアの前身頃、後身頃および２つの袖用としてそれぞれ所定のパターンに編成されたものが記載されている。
【０００３】
ここで、「ニットピース」とは、任意のニット糸で所定のパターンや任意のパターンに編まれたニット地を意味するものとし、同じ大きさの同一形状の特定パターンに編まれた「モチーフピース」を含むものとする。
【先行技術文献】
【特許文献】
【０００４】
【特許文献１】特開２００４−１９７２８９号公報
【特許文献２】特開２００２−２４９９０２号公報
【発明の概要】
【発明が解決しようとする課題】
【０００５】
ところで、特許文献１に記載されたマフラー用のニットピースは、単なる直線状の帯状の外観を呈するものであって、デザイン的な多様性に欠ける。また、特許文献２に記載されたニットウェア用のニットピースは、ニットウェアの前身頃、後身頃および２つの袖に対応した所定のパターンに編成されたものであって、デザイン的なユニークさに欠ける。
【０００６】
そこで、本発明は、ユニークでかつ多様性のあるデザインのセーターやマフラーなどの各種ニットウェア、あるいはバッグやコースターなどの各種ニット製品用のモチーフピースを構成することができるニットピースを提供することを課題とする。
【課題を解決するための手段】
【０００７】
このような課題を解決するため、本発明に係るニットピースは、長手方向に沿って幅方向に複数段に編成される帯状のニットピースであって、複数段の目数が長手方向の中間部にて漸次減少されることにより、長手方向の中間部で屈曲していることを特徴とする。
【０００８】
本発明のニットピースは、単なる直線状の帯状ではなく、長手方向の中間部で屈曲した帯状に編成されているため、ユニークでかつ多様性のある各種ニット製品を、極めて簡単な作業により、構成することができる。ここで、ニットピースの長手方向の中間部で屈曲する部分の内側の挟角は、５〜１７５度の範囲とするのが好ましい。但し、あまり小さいと三角形状に近くなってしまうし、あまり大きいと直方形状や正方形状に近くなってしまうため、本発明におけるニットピースとして、より好ましくは３０〜１５０度の範囲である。
【発明の効果】
【０００９】
本発明に係るニットピースは、単なる直線状の帯状ではなく、長手方向の中間部で屈曲した帯状に編成されているため、ユニークでかつ多様性のあるデザインのマフラー、ショール、セーター、カーディガン、ベスト、コート、ジャケット、ワンピース、スカート、ズボン、手袋、帽子、パジャマ、ネクタイなどの各種ニットウェアの外、バッグ、クッション、ブーツ、スリッパ、カーテン、タペストリ、ランプシェード、タオル、ランチョンマット、コースター、ノレン、サドルカバー、シートカバー、ハンドルカバー、ゴルフクラブカバー、ブックカバー、サイフ、ヌイグルミ、タワシなどの各種ニット製品用のモチーフピースを構成することができる。
【図面の簡単な説明】
【００１０】
【図１】本発明の第１実施形態に係るニットピースの平面図である。
【図２】第１実施形態のニットピースの編み図である。
【図３】第１実施形態の第１変形例として、左右不等長のマフラーとして構成されたニットピースを示す平面図である。
【図４】第１実施形態の第２変形例として、長手方向の中間部で屈曲する挟角を９０度としたニットピースを示す平面図であり、（ａ）は左右等長の例を示し、（ｂ）は左右不等長の例を示す。
【図５】第１実施形態の第３変形例として、長手方向の中間部で屈曲する挟角を１２０度としたニットピースを示す平面図であり、（ａ）は左右等長の例を示し、（ｂ）は左右不等長の例を示す。
【図６】本発明の第２実施形態に係るニットピースをモチーフピースとして備えたニットウェアの正面図である。
【図７】図６に示したニットウェアの展開図である。
【図８】図７に展開して示したニットウェアを各ニットピースに分解して示す分解展開図である。
【図９】図８に示したモチーフピースの形状を示す平面図である。
【図１０】図８に示した他のモチーフピースの形状を示す平面図である。
【発明を実施するための形態】
【００１１】
以下、添付の図面を参照して本発明に係るニットピースの実施の形態を説明する。まず、図１〜図５を参照して第１実施形態に係るニットピースを説明し、続いて、図６〜図１０を参照して第２実施形態に係るニットピースを説明する。
＜第１実施形態＞
【００１２】
図１に示すように、第１実施形態に係るニットピース１０は、長手方向の中央部で山形に鋭角に屈曲する帯状に編成されている。このニットピース１０は、例えばファッションアイテムや防寒アイテムの一つであるマフラーやショールを単独で構成するように編成されている。
【００１３】
このように屈曲した帯状のニットピース１０は、幅寸法となる両端部の短辺１１，１２の長さがそれぞれ略１２ｃｍ、屈曲する外側辺１３，１４の長さがそれぞれ略９０ｃｍ、屈曲する内側辺１５，１６の長さがそれぞれ略６５ｃｍであって、内側辺１５，１６の間の挟角αが例えば６０度程度とされている。
【００１４】
このニットピース１０は、ウール、カシミヤ、アンゴラ、シルク、コットン等の任意のニット糸により編成される。ニット糸の色は自由に選定され、ニット糸の太さは極太、並太、中細、極細から適宜選択される。また、ニット糸の編み方は、種々の編み方から任意に選択される。
【００１５】
ここで、ニットピース１０は、一方の短辺１１と他方の短辺１２との間の長手方向に沿って、屈曲する外側辺１３，１４から屈曲する内側辺１５，１６側へ向かう幅方向に複数段に編成される。
【００１６】
その編み方の一例を示せば、図２に示す編み図の通りであり、まず、作り目としての鎖編みが鉤針によって編まれる。続く１段目として細編みが鉤針により編まれ、２段目として裏メリヤス編みが棒針により編まれる。そして、３段目および４段目として表メリヤス編みが棒針により編まれる。５段目以降は、１〜４段目と同じ編み方が繰り返される。そして、終段として細編みが鉤針により編まれる。
【００１７】
１段目の細編みと２段目の裏メリヤス編みは、任意の同色のニット糸で編まれ、３段目および４段目の表メリヤス編みは、他の任意の同色のニット糸で編まれる。なお、３段目および４段目は、１段目および２段目と同色としてもよい。５段目以降は、１〜４段目と同色の繰り返しとしてもよいし、他の色の組合わせとしてもよい。
【００１８】
ここで、１段目の細編みは、屈曲点となる中央部に余分の１目を有する。そして、３段目以後は各段の中央部が中上３目１度で目数が漸次減少（３つの目が１つの目に減少）されることにより、ニットピース１０は、図１に示すように、長手方向の中央部で略６０度の山形に屈曲する帯状に編まれている。なお、目数の減少(減らし目)は、この例に限定されず、５つの目を１つの目(５目１度)にしたり、あるいは２つの目を１つの目(２目１度)（１つ目上２目１度、あるいは２つ目上２目１度）、４つの目を１つの目(４目１度)（１つ目上４目１度、２つ目上４目１度、３つ目上４目１度、あるいは４つ目上４目１度）にするなど種々の減らし目手法が挙げられ、所望のデザインにより適宜の減らし目手法を選定することができる。
【００１９】
以上のように単独でマフラーやショールとして構成された第１実施形態のニットピース１０は、単なる直線状の帯状ではなく、長手方向の中央部で例えば６０度の挟角をもって山形に鋭角に屈曲した帯状に編成されているため、デザインがユニークであり、これを着用した場合には、しわの生じないスッキリした襟回りを演出することができる。
＜第１実施形態の変形例＞
【００２０】
図１に示した第１実施形態のニットピース１０において、短辺１１，１２の長さ、外側辺１３，１４の長さ、内側辺１５，１６の長さおよび内側辺１５，１６の間の挟角αは、適宜変更することができる。例えば、図３に示すように、外側辺１３および内側辺１５がそれぞれ外側辺１４および内側辺１６より短い左右不等長のマフラーやショールとして編成されていてもよい。
【００２１】
また、内側辺１５，１６の間の挟角αは、５〜１７５度の範囲、より好ましくは３０〜１５０度の範囲とするのが適しており、例えば図４に示すように９０度としてもよい。この場合、図４の（ａ）に示すような左右等長のマフラーやショールとして編成されていてもよく、あるいは図４の（ｂ）に示すような左右不等長のマフラーやショールとして編成されていてもよい。
【００２２】
さらに、内側辺１５，１６の間の挟角αは、図５に示すように１２０度としてもよい。この場合、図５の（ａ）に示すような左右等長のマフラーやショールとして編成されていてもよく、あるいは図５の（ｂ）に示すような左右不等長のマフラーやショールとして編成されていてもよい。
＜第２実施形態＞
【００２３】
つぎに、図６〜図１０を参照して本発明の第２実施形態に係るニットピースを説明する。第２実施形態に係るニットピースは、図６〜図８に示すように、ニットウェアの一例であるニットジャケットＫＪを構成するモチーフピース２０Ａ，２０Ｂ，２０Ｃ，２０Ｄ，３０として編成されている。
【００２４】
図６に示すように、ニットジャケットＫＪは、前身頃のセンター部分を構成するモチーフピース４０と、前身頃の左サイド部分および左袖の前側部分を構成するモチーフピース２０Ａと、前身頃の右サイド部分および右袖の前側部分を構成するモチーフピース２０Ｂとを備えている。
【００２５】
また、図７，図８に展開して示すように、ニットジャケットＫＪは、後身頃のセンター部分を構成するモチーフピース３０と、後身頃の左サイド部分および左袖の後側部分を構成するモチーフピース２０Ｃと、後身頃の右サイド部分および右袖の後側部分を構成するモチーフピース２０Ｄとを備えている。
【００２６】
前身頃のセンター部分を構成するモチーフピース４０の左側縁部には、例えば６個のボタンホールＨが開けられている。これに対応して、前身頃の左サイド部分および左袖の前側部分を構成するモチーフピース２０Ａの左サイド部分の右側縁部には、６個のボタンＢが縫い止められている。
【００２７】
モチーフピース２０Ａ〜２０Ｄおよびモチーフピース３０，４０は、ウール、カシミヤ、アンゴラ、シルク、コットン、麻、合成繊維、合成樹脂、天然若しくは合成皮革等からなる任意のニット糸を編んでニット地としたものであり、モチーフピース２０Ａ〜２０Ｄは、同じ大きさの同一形状の特定パターンに編まれている。
【００２８】
モチーフピース２０Ａ〜２０Ｄは、図９に拡大して示すように、長手方向の中央部で山形に鋭角に屈曲する帯状に編成されている。このモチーフピース２０Ａ〜２０Ｄは、両端部の短辺２１，２２の長さがそれぞれ略１６ｃｍ、屈曲する外側辺２３，２４の長さがそれぞれ略６８ｃｍ、屈曲する内側辺２５，２６の長さがそれぞれ略４０ｃｍであって、内側辺２５，２６の間の挟角βが例えば６０度程度とされている。
【００２９】
モチーフピース３０は、図１０に拡大して示すように、長手方向の中央部で山形に鋭角に屈曲する帯状に編成されている。このモチーフピース３０は、両端部の短辺３１，３２の長さがそれぞれ略１５ｃｍ、屈曲する外側辺２３，２４の長さがそれぞれ略６８ｃｍであって、内側辺３５，３６の間の挟角βが例えば３０度程度とされている。
【００３０】
なお、前身頃のセンター部分を構成するモチーフピース４０は、襟ぐりを構成するように、モチーフピース３０の頂角部分をカットした形状に編成されている。
【００３１】
ここで、モチーフピース２０Ａ〜２０Ｄは、一方の短辺２１と他方の短辺２２との間の長手方向に沿って、屈曲する外側辺２３，２４から屈曲する内側辺２５，２６側へ向かう幅方向に複数段に編成される。
【００３２】
同様に、モチーフピース３０は、一方の短辺３１と他方の短辺３２との間の長手方向に沿って、屈曲する外側辺３３，３４から屈曲する内側辺３５，３６側へ向かう幅方向に複数段に編成される。
【００３３】
モチーフピース２０Ａ〜２０Ｄおよびモチーフピース３０の編み方は、前述した第１実施形態のニットピース１０の編み方と同様であるため、詳細な説明は省略する。
【００３４】
ここで、モチーフピース２０Ａ〜２０Ｄは、複数段の編み目の中央部分が中上３目１度で目数が漸次減少されることにより、長手方向の中央部で略６０度の山形に屈曲する帯状に編まれている。
【００３５】
一方、モチーフピース３０は、複数段の編み目の中央部分が中上５目１度で目数が漸次減少されることにより、長手方向の中央部で略３０度の山形に屈曲する帯状に編まれている。
【００３６】
以上のように構成された第２実施形態のニットピースであるモチーフピース２０Ａ〜２０Ｄおよびモチーフピース３０は、図７に示すように、モチーフピース４０と共に相互に縫いつながれることで、図６に示すニットジャケットＫＪを構成する。
【００３７】
ここで、モチーフピース２０Ａ〜２０Ｄは、長手方向の中央部で例えば６０度の挟角をもって山形に鋭角に屈曲した帯状に編成されているため、デザインがユニークである。同様に、モチーフピース３０は、長手方向の中央部で例えば３０度の挟角をもって山形に鋭角に屈曲した帯状に編成されているため、デザインがユニークである。これらのモチーフピース２０Ａ〜２０Ｄ，３０，４０を組み合わせてニットジャケットＫＪを構成することができるため、これらのモチーフピースを必要数用意しておけば、デザインがユニークなニットジャケットを極めて容易な作業により構成することができる。
【００３８】
以上詳述したように、本発明においては、同一形状の複数のニットピース、挟角がそれぞれ異なる複数のニットピース、各片の長さがそれぞれ異なる複数のニットピース、あるいは挟角と各辺の長さともそれぞれ異なる複数のニットピースを適宜組み合わせることができ、これによりデザインのバリエーションが膨大となる各種のニット製品を、容易な操作で得ることができる。
【符号の説明】
【００３９】
１０…ニットピース
１１，１２…短辺
１３，１４…外側辺
１５，１６…内側辺
２０Ａ〜２０Ｄ…モチーフピース
２１，２２…短辺
２３，２４…外側辺
２５，２６…内側辺
３０…モチーフピース
４０…モチーフピース
ＫＪ…ニットジャケット
【図１】
2014080701.tif 000003
【図２】
2014080701.tif 000004
【図３】
2014080701.tif 000005
【図４】
2014080701.tif 000006
【図５】
2014080701.tif 000007
【図６】
2014080701.tif 000008
【図７】
2014080701.tif 000009
【図８】
2014080701.tif 000010
【図９】
2014080701.tif 000011
【図１０】
2014080701.tif 000012